【手続補正書】
【提出日】平成20年6月17日(2008.6.17)
【手続補正１】
【補正対象書類名】明細書
【補正対象項目名】特許請求の範囲
【補正方法】変更
【補正の内容】
【特許請求の範囲】
【請求項１】
少なくとも第１の耐熱樹脂フィルムと第２の耐熱樹脂フィルムとを、弾性接着剤を介して互いに貼り合わせて貼り合わせシートを形成する第１の工程と、
この貼り合わせシートを、前記第１の耐熱樹脂フィルムが内側となる状態で、円筒状の巻きつけ治具の外周に、互いに隣接する側縁が互いに接触するように隙間なく巻きつけ、円筒状のベルト基体を構成させる第２の工程と、
前記巻きつけ治具の外周面上で、第１及び第２の耐熱樹脂フィルムを相対的に摺動させ、各々の互いに隣接する側縁を、互いに重ならないようにオフセットさせる第３の工程と、
前記弾性接着剤を固化させる第４の工程と、
を具備することを特徴とする定着ベルトの製造方法。
【請求項２】
少なくとも第１の耐熱樹脂フィルムと第２の耐熱樹脂フィルムとを、弾性接着剤を介して互いに貼り合わせて貼り合わせシートを形成する第１の工程と、
この貼り合わせシートを、前記第２の耐熱樹脂フィルムが外側となる状態で、円筒状の巻きつけ治具の内周に、互いに隣接する側縁が互いに接触するように隙間なく巻きつけ、円筒状のベルト基体を構成させる第２の工程と、
前記巻きつけ治具の内周面上で、第１及び第２の耐熱樹脂フィルムを相対的に摺動させ、各々の互いに隣接する側縁を、互いに重ならないようにオフセットさせる第３の工程と、
前記弾性接着剤を固化させる第４の工程と、
を具備することを特徴とする定着ベルトの製造方法。
【請求項３】
前記第３の工程において、前記第１及び第２の耐熱樹脂フィルムを、円周方向に沿って相対的に偏倚させることを特徴とする請求項１に記載の定着ベルトの製造方法。
【請求項４】
前記第３の工程において、前記第１の耐熱樹脂フィルムを固定して、前記第２の耐熱樹脂フィルムを偏倚させることを特徴とする請求項３に記載の定着ベルトの製造方法。
【請求項５】
前記第３の工程において、前記第１の耐熱樹脂フィルムを、前記巻きつけ治具の外周面に吸引することにより固定させることを特徴とする請求項４に記載の定着ベルトの製造方法。
【請求項６】
前記第３の工程において、前記第１及び第２の耐熱樹脂フィルムを、円周方向に沿って相対的に偏倚させることを特徴とする請求項２に記載の定着ベルトの製造方法。
【請求項７】
前記第３の工程において、前記第２の耐熱樹脂フィルムを固定して、前記第１の耐熱樹脂フィルムを偏倚させることを特徴とする請求項６に記載の定着ベルトの製造方法。
【請求項８】
前記貼り合わせシートは、前記巻きつけ治具の外周に巻きつけられることに先立ち、平行四辺形状に成形されることを特徴とする請求項１に記載の定着ベルトの製造方法。
【請求項９】
前記平行四辺形状に成形された貼り合わせシートは、これの互いに平行な一対の辺が、前記巻きつけ治具の外周に巻きつけられた状態で、円筒形状の円形状の端縁を構成し、他方の平行な一対の辺が、互いに接合されてスパイラル状の接合ラインを構成するように、形成されることを特徴とする請求項８に記載の定着ベルトの製造方法。
【請求項１０】
前記貼り合わせシートは、前記巻きつけ治具の外周に巻きつけられることに先立ち、矩形状に成形されることを特徴とする請求項１に記載の定着ベルトの製造方法。
【請求項１１】
前記矩形状に成形された貼り合わせシートは、これの互いに平行な一対の辺が、前記巻きつけ治具の外周に巻きつけられた状態で、円筒形状の円形状の端縁を構成し、他方の平行な一対の辺が、互いに接合されて前記円筒形状の軸線に平行な接合ラインを構成するように、形成されることを特徴とする請求項１０に記載の定着ベルトの製造方法。
【請求項１２】
前記貼り合わせシートは、前記巻きつけ治具の内周に巻きつけられることに先立ち、矩形状に成形されることを特徴とする請求項２に記載の定着ベルトの製造方法。
【請求項１３】
前記矩形状に成形された貼り合わせシートは、これの互いに平行な一対の辺が、前記巻きつけ治具の内周に巻きつけられた状態で、円筒形状の円形状の端縁を構成し、他方の平行な一対の辺が、互いに接合されて前記円筒形状の軸線に平行な接合ラインを構成するように、形成されることを特徴とする請求項１２に記載の定着ベルトの製造方法。
【請求項１４】
前記第３の工程の終了後、前記円筒状に形成されたベルト基体を前記巻きつけ治具から取り出し、前記第４の工程を実施することを特徴とする請求項１又は２に記載の定着ベルトの製造方法。
【請求項１５】
前記第３の工程の終了を、前記円筒状に形成されたベルト基体を前記巻きつけ治具に取り付けておいたままの状態で、前記第４の工程を実施することを特徴とする請求項１又は２に記載の定着ベルトの製造方法。
【請求項１６】
前記第２の耐熱樹脂フィルムの外周に、弾性層を形成する第５の工程を更に具備することを特徴とする請求項１又は２に記載の定着ベルトの製造方法。
【請求項１７】
前記第５の工程において、シリコーンゴムを塗布することにより前記弾性層を形成する事を特徴とする請求項１６に記載の定着ベルトの製造方法。
【請求項１８】
前記弾性層の外周に、離型層を形成する第６の工程を更に具備することを特徴とする請求項１６又は１７に記載の定着ベルトの製造方法。
【請求項１９】
前記第６の工程において、フッ素樹脂製フィルムを被覆することにより、前記離型層を形成させることを特徴とする請求項１８に記載の定着ベルトの製造方法。
【請求項２０】
前記耐熱樹脂フィルムは、熱硬化性樹脂から形成されていることを特徴とする請求項１又は２に記載の定着ベルトの製造方法。
【請求項２１】
前記熱硬化性樹脂は、ポリイミドである事を特徴とする請求項２０に記載の定着ベルトの製造方法。
【請求項２２】
前記弾性接着剤が、シリコーンゴム材料から形成されていることを特徴とする請求項１又は２に記載の定着ベルトの製造方法。
【手続補正２】
【補正対象書類名】明細書
【補正対象項目名】００１８
【補正方法】変更
【補正の内容】
【００１８】
また、この発明に係わる定着ベルトの製造方法は、請求項９の記載によれば、前記平行四辺形状に成形された貼り合わせシートは、これの互いに平行な一対の辺が、前記巻きつけ治具の外周に巻きつけられた状態で、円筒形状の円形状の端縁を構成し、他方の平行な一対の辺が、互いに接合されてスパイラル状の接合ラインを構成するように、形成されることを特徴としている。
【手続補正３】
【補正対象書類名】明細書
【補正対象項目名】００２０
【補正方法】変更
【補正の内容】
【００２０】
また、この発明に係わる定着ベルトの製造方法は、請求項１１の記載によれば、前記矩形状に成形された貼り合わせシートは、これの互いに平行な一対の辺が、前記巻きつけ治具の外周に巻きつけられた状態で、円筒形状の円形状の端縁を構成し、他方の平行な一対の辺が、互いに接合されて前記円筒形状の軸線に平行な接合ラインを構成するように、形成されることを特徴としている。
【手続補正４】
【補正対象書類名】明細書
【補正対象項目名】００２２
【補正方法】変更
【補正の内容】
【００２２】
また、この発明に係わる定着ベルトの製造方法は、請求項１３の記載によれば、前記矩形状に成形された貼り合わせシートは、これの互いに平行な一対の辺が、前記巻きつけ治具の内周に巻きつけられた状態で、円筒形状の円形状の端縁を構成し、他方の平行な一対の辺が、互いに接合されて前記円筒形状の軸線に平行な接合ラインを構成するように、形成されることを特徴としている。
【手続補正５】
【補正対象書類名】明細書
【補正対象項目名】００２４
【補正方法】変更
【補正の内容】
【００２４】
また、この発明に係わる定着ベルトの製造方法は、請求項１５の記載によれば、前記第３の工程の終了を、前記円筒状に形成されたベルト基体を前記巻きつけ治具に取り付けておいたままの状態で、前記第４の工程を実施することを特徴としている。
【手続補正６】
【補正対象書類名】明細書
【補正対象項目名】００３１
【補正方法】削除
【補正の内容】
【手続補正７】
【補正対象書類名】明細書
【補正対象項目名】００３２
【補正方法】変更
【補正の内容】
【００３２】
また、この発明に係わる定着ベルトの製造方法は、請求項２２の記載によれば、前記弾性接着剤が、シリコーンゴム材料から形成されていることを特徴としている。